(57)【要約】      （修正有）【課題】ビデオ及びグラフィックカード、サウンドカード、ネットワークアダプタカード、サウンドアダプタカード及びテレビアダプタカードや、他の特定のアダプタカードとして用いられる、回路板の周縁が第1の厚さを有し、回路板の本体部が応用の複雑性に適応するように厚さが増加されるゴールデンフィンガーカードを提供する。【解決手段】ゴールデンフィンガーカード２０の本体部２４における増加された厚さは、トレースの間に大きい誘電材料を提供するため、損失を低減させる。回路板のフィンガー２６の周縁が第1の厚さに保持されることにより、既存のコネクタ（例えば、標準ＰＣＩｅコネクタ）の使用が保持される。【選択図】図２
2020017715.tif 000002
【特許請求の範囲】
【請求項１】
第１の厚さを有するゴールデンフィンガーカード周縁と、
第１の厚さよりも大きい厚さを有するゴールデンフィンガーカード本体部と、
を含むゴールデンフィンガーカード。
【請求項２】
前記ゴールデンフィンガーカード本体部は、片側段差状の回路板である請求項１に記載のゴールデンフィンガーカード。
【請求項３】
前記片側段差状の回路板は、前記片側段差状の回路板の本体の片側において厚さが増加されたものである請求項２に記載のゴールデンフィンガーカード。
【請求項４】
前記ゴールデンフィンガーカード本体部は、両側段差状の回路板である請求項１に記載のゴールデンフィンガーカード。
【請求項５】
前記両側段差状の回路板は、前記両側段差状の回路板の本体の各側において厚さが増加されたものである請求項４に記載のゴールデンフィンガーカード。
【請求項６】
前記ゴールデンフィンガーカード周縁は、テーパーである請求項１に記載のゴールデンフィンガーカード。
【請求項７】
標準ＰＣＩｅコネクタと請求項１に記載のゴールデンフィンガーカードとの組合せ。
【請求項８】
第１の厚さを有するゴールデンフィンガーカード周縁と、
第１の厚さよりも約１．５倍大きい厚さを有するゴールデンフィンガーカード本体部と、
を含むゴールデンフィンガーカード。
【請求項９】
前記第１の厚さは、約１．５７ｍｍである請求項８に記載のゴールデンフィンガーカード。
【請求項１０】
前記ゴールデンフィンガーカード本体部の前記厚さは、約２．４ｍｍである請求項８に記載のゴールデンフィンガーカード。
【発明の詳細な説明】
【技術分野】
【０００１】
本開示は、回路板（ＰＣＢ）の本体部が厚さが増加されたものであるが、回路板のフィンガーの厚さが増加されていない、ゴールデンフィンガーカードの設計に関する。回路板のフィンガーの周縁の厚さが保持されることにより、既存のコネクタの使用は保持される。同時に、回路板の本体部は厚さに制限されないため、追加の回路板層を収容することが可能であり、さらに応用の複雑性を増加させる。本開示のゴールデンフィンガーカードは、ビデオ及びグラフィックカード、ネットワークアダプタカード、サウンドアダプタカード及びテレビアダプタカードや、他の特定のアダプタカードとして用いられる。
【背景技術】
【０００２】
ゴールデンフィンガーカードは、サーバー／メモリ製品の設計に用いられることが多い。ただし、その板厚は典型的に標準化されたものであり、一定のもの（一般的に１．５７ｍｍ）である。しかし、応用の複雑性が増加された場合、ゴールデンフィンガーカードの信号トレースの数も増加される。そのため、層数の多い基板は必要である。しかし、一定の板厚という制限は、回路板層の誘電材料の厚さの低減を招き、高いトレース損失及び減少するシグナルマージン（Ｓｉｇｎａｌ  ｍａｒｇｉｎ）をもたらす。そのため、コネクタの互換性、減少するトレース損失及び高いシグナルマージンを保持するために、ゴールデンフィンガーカードには、層数の増加が許容される需要がある。
なお、本発明に関して記載すべき先行技術文献はない。出願人が知っている先行技術が文献公知発明に係るものではないからである。
【発明の概要】
【０００３】
本発明は、２つ以上の異なる板厚を有する段差型の回路板である。ゴールデンフィンガーカード周縁は、既存のコネクタに合わせるように、第1の板厚（例えば、１．５７ｍｍ［±０．１５ｍｍ］）を有する。ただし、周縁の厚さの制限を除いて、他の板材には厚さの制限がない。そのため、本開示の一つの実施形態において、板材の本体は、大きい厚さ（例えば、１．５７ｍｍよりも大きい）を有してもよい。このような板材を例としては、第1の板厚の約２倍、又は約２．４ｍｍ（±０．２４ｍｍ）の本体の厚さを有してもよく、周縁の厚さは１．５７ｍｍ（±０．１５ｍｍ）に保持される。
【０００４】
段差型の回路板の設計については制限がない。そのため、本開示の別の実施形態において、回路板は片側の段差を有してもよい。
【０００５】
本開示の別の実施形態において、回路板は両側の段差を有してもよい。
【０００６】
本開示の別の実施形態において、２．４ｍｍ（±０．２４ｍｍ）の板厚を有する回路板では、０．１０１６ｍｍ（４ｍｉｌ）のコア、０．４０６４ｍｍ（１６ｍｉｌ）のプリプレグ材（Ｐｒｅｐｒｅｇ）の一般組成で１６層のゴールデンフィンガーカードを構成することが可能である。従来のゴールデンフィンガーカードと比べると、従来のゴールデンフィンガーカードは、０．０７６２ｍｍ（３ｍｉｌ）のコア、０．０７６２ｍｍ（３ｍｉｌ）のプリプレグ材の特定組成を有し、大きい回路板のトレース損失と減少するシグナルマージンをもたらす。
【図面の簡単な説明】
【０００７】
本開示の各態様は、添付の図面と併せて参照するときに、以下の詳細な説明によればさらに良く理解され得る。これらの図面は例示的な実施形態のみを図示しており、各種の実施形態及び特許の範囲の制限とされるものではない。
【図１】周知の１．５７ｍｍの厚さを有するゴールデンフィンガーカードと標準コネクタとが組み合される場合の模式図である。
【図２】板材の本体が２．４ｍｍの厚さを有し、板材の周縁の厚さが１．５７ｍｍに保持される、図１の標準コネクタが組み合わされた本開示のゴールデンフィンガーカードを示す図である。
【図３】一般的な配置（０．１０１６ｍｍ（４ｍｉｌ）のコア、０．４０６４ｍｍ（１６ｍｉｌ）のプリプレグ材（Ｐｒｅｐｒｅｇ））で１６層のゴールデンフィンガーカードを構成することが可能な、２．４ｍｍの両側段差状の回路板の側面図である。
【図４】従来のゴールデンフィンガーカードに関する回路板のトレース損失と段差型のゴールデンフィンガーカードに関するトレース損失とを比較したグラフである。
【図５Ａ】両側段差型のゴールデンフィンガーカードの模式図である。
【図５Ｂ】ゴールデンフィンガーカードの細部を示すための図５Ａの局所的な拡大図である。
【図５Ｃ】回路板の細部を示すための図５Ａの局所的な拡大図である。
【発明を実施するための形態】
【０００８】
本発明は添付の図面を参照してもよく、図面における同じ番号は同様又は類似の要素を意味する。添付の図面は尺度に基づいて図示するものではなく、単に本発明の概略として示すものである。本発明の各態様は、以下の例示的な応用及び図面により説明される。本発明を十分に理解させるために、複数の具体的な詳細、関係、及び方法が言及されることは認識されるべきである。しかし、当業者は、本発明は１つ又は複数の上記具体的な詳細を用いずに、もしくは他の方法により実施することが可能であることを容易に理解することができる。他の実施例では、本発明と混同されないように、公知の構造又は操作についてあまり詳細に示していない。図示された行為又は事柄の順序は本発明を制限するためのものではなく、例えば、ある行為は他の行為又は事柄と異なる順序で発生し、及び／又は同時に発生してもよい。また、本発明にかかる方法を実施するために、全ての図示された行為又は事柄が必要なわけではない。
【０００９】
図１は周知の１．５７ｍｍの公称厚さを有するゴールデンフィンガーカード１０と標準ＰＣＩｅコネクタ１２とが組み合される場合の模式図である。ゴールデンフィンガーカード１０の本体１４は、このカードのゴールデンフィンガー部１６の１．５７ｍｍの厚さと同様に、１．５７ｍｍの厚さを有する。前記の通り、このような周知の配置には制限があり、例えば、応用の複雑性を増加させるためには、薄い誘電層を実施するのみである。しかし、前記の通り、このような配置は評判の悪いものである。
【００１０】
図１の配置の制限に鑑みて、図２の配置は提示されている。図２は本開示にかかるゴールデンフィンガーカード２０と標準ＰＣＩｅコネクタ１２とが組み合される場合の模式図であるが、ゴールデンフィンガーカード２０は異なる厚さの領域を２つ有する。図２に示されるように、ゴールデンフィンガーカード２０は、同じ標準ＰＣＩｅコネクタ１２（図１）に合わせることができる。つまり、ゴールデンフィンガー部２６は、周知のゴールデンフィンガーカード（例えば、ゴールデンフィンガーカード１０（図１））と同じ厚さを有する。ただし、ゴールデンフィンガーカード２０は、ゴールデンフィンガー部２６に加えて、ゴールデンフィンガー部２６と異なる厚さを有する本体部２４を有する。このように、応用の複雑性は薄い誘電層によらず増加され得る。
【００１１】
特定の実施例において、ゴールデンフィンガー部２６は、標準コネクタ（例えば、ＰＣＩｅコネクタ１２）に好適に挿入するように、同様に１．５７ｍｍの公称厚さを有してもよく、ゴールデンフィンガーカード２０の本体部２４は、このカードのゴールデンフィンガー部２６よりも厚くてもよい。ゴールデンフィンガーカード２０の本体部２４の厚さは、一般的に、制限されない。また、このようなカードは、単側段差状、又は両側段差状のカードのように配置されてもよい。ある配置においては、本体部２４に増加された応用の複雑性を許容するために、２．４ｍｍの厚さが好適であるが、標準コネクタ１２に好適に挿入するために、ゴールデンフィンガー部２６は１．５７ｍｍの厚さに制限されたままであることが発見されている。
【００１２】
図３は段差状のゴールデンフィンガーカードの側面図及び構造である。これは２２層、両側段差状のものであり、ゴールデンフィンガー側で除去された層１〜４及び層１９〜２２を有する。そのため、図３は、本体部がゴールデンフィンガー部よりも大きい厚さを有する両側段差状のゴールデンフィンガーカードを図示している。２．４ｍｍの板厚で、一般的な配置（０．１０１６ｍｍ（４ｍｉｌ）のコア、０．４０６４ｍｍ（１６ｍｉｌ）のプリプレグ材（Ｐｒｅｐｒｅｇ））で１６層のゴールデンフィンガーカードを構成することが可能である。従来のゴールデンフィンガーカードと比べると、従来のゴールデンフィンガーカードは、特定組成（０．０７６２ｍｍ（３ｍｉｌ）のコア、０．０７６２ｍｍ（３ｍｉｌ）のプリプレグ材）を有し、大きい回路板のトレース損失と減少するシグナルマージンをもたらす。距離３５は、約２．４２３１６ｍｍ（約９５．４ｍｉｌ）であるソルダーレジスト層（ｍａｓｋ）からソルダーレジスト層までの長さを有し、かつ距離３６は、約１．５８４９６ｍｍ（約６２．４ｍｉｌ）であるゴールデンフィンガーからゴールデンフィンガーまでの長さを有する。
【００１３】
図４は、本開示の周波数範囲０〜２０ＧＨｚにおける従来のゴールデンフィンガーカード３０のトレース損失と段差型のゴールデンフィンガーカード３２のトレース損失とを比較したグラフである。図４に示されるように、段差型のゴールデンフィンガーカードは、従来のゴールデンフィンガーカードに比べて、トレース損失が改善された。また、図４に示されるように、このような改善は周波数の増加につれて増加する。そのため、段差型のゴールデンフィンガーカードの設計の実施は、大きい設計マージン及び高い信頼性をもたらす。
【００１４】
ゴールデンフィンガーカードのテーパー構造は、ＰＣＩｅコネクタへの挿入が可能な機械的特徴形態に起因するものである。全てのゴールデンフィンガーカードは、標準ＰＣＩｅコネクタに挿入する寸法に適するように、テーパー構造を有するべきである。ゴールデンフィンガーは、板材の本体部におけるトレースに直接的に接続される。これらのゴールデンフィンガーは、導電性ビアの手法により、直線でカードを通して、トレースに接続される。これらは導電性ビアにより、板材の本体部における任意の層まで通じる。ただし、板材の本体部を板材のフィンガー部よりも厚くすることにより、トレースの間にさらに多い誘電材料を有するようになる。トレースの間での追加の誘電材料は、本開示の板材の構造特徴であり、低い損失が提供される。板材の本体側における板厚は制限されないため、トレースの間での誘電材料の総量を増加させることが可能であり、板材のフィンガー部の寸法に影響せず、損失を制限し、フィンガー部が依然として標準ＰＣＩｅコネクタに好適に挿入する。図５Ａは２つ以上の異なる板厚を有する段差型の回路板５０である。この段差型の回路板は、フィンガー周縁５２において１．５７ｍｍの厚さを有し、厚い本体部の厚さ５４を有する。
【００１５】
図５Ｂは、ゴールデンフィンガー周縁５２を含む、図５Ａの局所的な拡大図である。この図からわかるように、周縁５６の一端はゴールデンフィンガー部２６（図２）を含み、第１の厚さ１．４ｍｍ（±０．２５ｍｍ）を有するために、ゴールデンフィンガーカード２０の周縁から約２０°±５°の角度でテーパー（ｔａｐｅｒｅｄ）をなしている。必要があれば、上記のテーパーは、図５Ｂに示されるように、ゴールデンフィンガー部２６の各側に設けられてもよい。
【００１６】
図５Ｃは、板材の本体部の厚さ５４の厚さを図示する、図５Ａの局所的な拡大図である。単側段差状の回路板は、回路板５０の厚さを約０．４１５ｍｍ増加させたものである。両側段差状の回路板は、厚さを約０．８３０ｍｍ増加させたものであり、回路板５０の本体の厚さは、総厚において約２．４ｍｍ（±０．２４ｍｍ）となる。
【００１７】
ここの術語は、特定の実施例を述べる目的のためにのみ使用されるものであり、制限的なものではない。本文で使用されるように、その内容がはっきりと示していない限り、単数形の「一」、「一つ」及び「前記」は、複数形を含むように意図される。また、実施形態及び特許請求の範囲で使用される「含有」、「含む」、「備える」、「有する」並びに類似の用語については、いずれも開放式の接続用語とみなされる。
【００１８】
特に定義されない限り、本明細書で用いられるすべての用語（技術用語及び科学用語）は、本発明が属する技術分野の当業者によって一般的に理解されるものと同様の意味を有している。例えば、一般的に使用される辞書で定義されたそれらの術語は、本文にで明確にそのように定義されていない限り、それらが関連の技術及び本発明の文脈における意味と一致する意味を有し、理想化された又は過度に正式な意義と解釈されないように、解釈されるべきである。
【符号の説明】
【００１９】
１０：ゴールデンフィンガーカード
１２：コネクタ
１４：本体
１６：ゴールデンフィンガー部
２０：ゴールデンフィンガーカード
２４：本体部
２６：ゴールデンフィンガー部
３０：ゴールデンフィンガーカード
３２：ゴールデンフィンガーカード
３５：距離
３６：距離
５０：回路板
５２：ゴールデンフィンガー周縁
５４：本体部の厚さ
５６：周縁
【図１】
2020017715.tif 000003
【図２】
2020017715.tif 000004
【図３】
2020017715.tif 000005
【図４】
2020017715.tif 000006
【図５Ａ】
2020017715.tif 000007
【図５Ｂ】
2020017715.tif 000008
【図５Ｃ】
2020017715.tif 000009